Podtech/llm-jp-corpus-v4-ja_patent huggingface dataset:
【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
成体有害節足動物またはその環境を亜致死性、生殖撹乱性量のカルボキサミド殺節足動物剤、そのＮ−オキシド、またはその塩と接触させることを含み；ただし、上記成体有害節足動物がコドリンガまたはナシヒメシンクイ以外である、成体有害節足動物の生殖能を撹乱する方法。
【請求項２】
カルボキサミド殺節足動物剤が、式１
【化１】
2009532347.tif 000001
（式中、
ＸはＮ、ＣＦ、ＣＣｌ、ＣＢｒまたはＣＩであり；
Ｒ１はＣＨ３、Ｃｌ、ＢｒまたはＦであり；
Ｒ２はＨ、Ｆ、Ｃｌ、ＢｒまたはＣＮであり；
Ｒ３はＦ、Ｃｌ、Ｂｒ、Ｃ１〜Ｃ４ハロアルキルまたはＣ１〜Ｃ４ハロアルコキシであり；
Ｒ４ａはＨ、Ｃ１〜Ｃ４アルキル、シクロプロピルメチルまたは１−シクロプロピルエチルであり；
Ｒ４ｂはＨまたはＣＨ３であり；
Ｒ５はＨ、Ｆ、ＣｌまたはＢｒであり；そして
Ｒ６はＨ、Ｆ、ＣｌまたはＢｒである）
のアントラニルアミド、そのＮ−オキシドおよび塩から選択される、請求項１に記載の方法。
【請求項３】
カルボキサミド殺節足動物剤が：
Ｎ−［４−クロロ−２−メチル−６−［［（１−メチルエチル）アミノ］カルボニル］フェニル］−１−（３−クロロ−２−ピリジニル）−３−（トリフルオロメチル）−１Ｈ−ピラゾール−５−カルボキサミド、
Ｎ−［４−クロロ−２−メチル−６−［（メチルアミノ）カルボニル］フェニル］−１−（３−クロロ−２−ピリジニル）−３−（トリフルオロメチル）−１Ｈ−ピラゾール−５−カルボキサミド、
３−ブロモ−Ｎ−［４−クロロ−２−メチル−６−［［（１−メチルエチル）アミノ］カルボニル］フェニル］−１−（３−クロロ−２−ピリジニル）−１Ｈ−ピラゾール−５−カルボキサミド、
３−ブロモ−Ｎ−［４−クロロ−２−メチル−６−［（メチルアミノ）カルボニル］フェニル］−１−（３−クロロ−２−ピリジニル）−１Ｈ−ピラゾール−５−カルボキサミド、
３−ブロモ−１−（３−クロロ−２−ピリジニル）−Ｎ−［４−シアノ−２−メチル−６−［（メチルアミノ）カルボニル］フェニル］−１Ｈ−ピラゾール−５−カルボキサミド、
１−（３−クロロ−２−ピリジニル）−Ｎ−［４−シアノ−２−メチル−６−［（メチルアミノ）カルボニル］フェニル］−３−（トリフルオロメチル）−１Ｈ−ピラゾール−５−カルボキサミド、
３−ブロモ−１−（２−クロロフェニル）−Ｎ−［４−シアノ−２−メチル−６−［［（１−メチルエチル）アミノ］カルボニル］フェニル］−１Ｈ−ピラゾール−５−カルボキサミド、
３−ブロモ−１−（２−クロロフェニル）−Ｎ−［４−シアノ−２−メチル−６−［（メチルアミノ）カルボニル］フェニル］−１Ｈ−ピラゾール−５−カルボキサミド、
３−ブロモ−１−（２−クロロフェニル）−Ｎ−［２，４−ジクロロ−６−［（メチルアミノ）カルボニル］フェニル］−１Ｈ−ピラゾール−５−カルボキサミド、
３−ブロモ−Ｎ−［４−クロロ−２−［［（シクロプロピルメチル）アミノ］カルボニル］−６−メチルフェニル］−１−（３−クロロ−２−ピリジニル）−１Ｈ−ピラゾール−５−カルボキサミド、
３−ブロモ−１−（３−クロロ−２−ピリジニル）−Ｎ−［４−シアノ−２−［［（シクロプロピルメチル）アミノ］カルボニル］−６−メチルフェニル］−１Ｈ−ピラゾール−５−カルボキサミド、
３−ブロモ−Ｎ−［４−クロロ−２−［［（１−シクロプロピルエチル）アミノ］カルボニル］−６−メチルフェニル］−１−（３−クロロ−２−ピリジニル）−１Ｈ−ピラゾール−５−カルボキサミド、
３−ブロモ−１−（３−クロロ−２−ピリジニル）−Ｎ−［４−シアノ−２−［［（１−シクロプロピルエチル）アミノ］カルボニル］−６−メチルフェニル］−１Ｈ−ピラゾール−５−カルボキサミド；および
Ｎ２−［１，１−ジメチル−２−（メチルスルホニル）エチル］−３−ヨード−Ｎ１−［２−メチル−４−［１，２，２，２−テトラフルオロ−１−（トリフルオロメチル）エチル］フェニル］−１，２−ベンゼンジカルボキサミド
から選択される、請求項１に記載の方法。
【請求項４】
有害節足動物がモモアカアブラムシである、請求項１に記載の方法。
【請求項５】
有害節足動物がタイワンツマグロヨコバイである、請求項１に記載の方法。
【請求項６】
有害節足動物がミカンキイロアザミウマである、請求項１に記載の方法。
【請求項７】
有害節足動物がコロラドハムシである、請求項１に記載の方法。
【請求項８】
有害節足動物がシロイチモジヨトウである、請求項１に記載の方法。
【請求項９】
有害節足動物がコナガである、請求項１に記載の方法。
【請求項１０】
有害節足動物がオオタバコガである、請求項１に記載の方法。
【請求項１１】
有害節足動物がイエバエである、請求項１に記載の方法。
【手続補正書】
【提出日】平成22年3月3日(2010.3.3)
【手続補正１】
【補正対象書類名】特許請求の範囲
【補正対象項目名】請求項７
【補正方法】変更
【補正の内容】
【請求項７】
前記ＯＰＧポリペプチドが、
（ａ）配列番号１５のアミノ酸配列；
（ｂ）配列番号１５のアミノ酸配列と少なくとも５０％の同一性を有し、ＲＡＮＫＬとの結合活性を有する（ａ）の変異体；又は、
（ｃ）ＲＡＮＫＬとの結合活性を有する（ａ）若しくは（ｂ）の断片、より好ましくは、前記ＯＰＧポリペプチドは配列番号１５の前記配列を含み、又は配列番号１５の前記配列からなる、請求項６に記載の使用。
【手続補正書】
【提出日】平成22年3月9日(2010.3.9)
【手続補正１】
【補正対象書類名】特許請求の範囲
【補正対象項目名】全文
【補正方法】変更
【補正の内容】
【特許請求の範囲】
【請求項１】
対象の皮膚の若々しい外観を維持するため、
対象の皮膚の老化の外観ないし発現を低減するため、又は
対象の皮膚の老化の外観ないし発現を抑制するために使用する、グランザイムＢ阻害剤。
【請求項２】
前記皮膚の細胞外蛋白質の含有量を維持又は増加するため、及び／又は
前記皮膚の皮膚エラスチンの含有量を維持又は増加するために使用する、請求項１に記載のグランザイムＢ阻害剤。
【請求項３】
前記皮膚の弾力性を維持又は増加するため、
前記皮膚の脆弱性を維持又は低減するため、
前記皮膚の堅牢性を維持又は増加するため、
前記皮膚の剥がれ落ちやすさを維持又は低減するため、
前記皮膚の乾燥度を維持又は低減するため、
前記皮膚のポアサイズを維持又は低減するため、
前記皮膚の厚さを維持又は増加するため、
前記皮膚の細胞の代謝回転速度を維持又は増加するため、
前記対象の前記皮膚のしわの外観ないし発現を維持又は低減するため、
前記皮膚のしわの深さを維持又は低減するため、
前記対象の前記皮膚の細かいしわの外観ないし発現を維持又は低減するため、及び／又は
前記対象の前記皮膚の変色の外観ないし発現を維持又は低減するために使用する、請求項１又は２に記載のグランザイムＢ阻害剤。
【請求項４】
対象の皮膚の老化的外観の発現速度を低減するために使用するグランザイムＢ阻害剤。
【請求項５】
細胞外蛋白質の含有量の減少速度を低減するため、及び／又は
前記皮膚の皮膚エラスチンの含有量の減少速度を低減するために使用する、請求項１又は４に記載のグランザイムＢ阻害剤。
【請求項６】
前記皮膚の弾力性の減少速度を低減するため、
前記皮膚の脆弱性の増加速度を低減するため、
前記皮膚の堅牢性の減少速度を低減するため、
前記皮膚の剥がれ落ちやすさの増加速度を低減するため、
前記皮膚の乾燥度の増加速度を低減するため、
前記皮膚のポアサイズの増加速度を低減するため、
前記皮膚の厚さの減少速度を低減するため、
前記皮膚の細胞の代謝回転速度の減少速度を低減するため、
前記対象の前記皮膚のしわの発現の増加速度を低減するため、
前記皮膚のしわの深さの増加速度を低減するため、
前記皮膚の細かいしわの発現の増加速度を低減するため、及び／又は
前記皮膚の変色の発現の増加速度を低減するために使用する、請求項１、４及び５のいずれか一に記載のグランザイムＢ阻害剤。
【請求項７】
対象の皮膚の非弾力性を低減するため、
対象の皮膚の非弾力性の増加速度を低減するため、又は
対象の皮膚の弾力性を維持するために使用する、グランザイムＢ阻害剤。
【請求項８】
対象の皮膚の体毛の毛包密度を増加するために使用する、グランザイムＢ阻害剤。
【請求項９】
前記グランザイムＢ阻害剤を局所的に適用するため、
前記グランザイムＢ阻害剤を皮下的に適用するため、又は
前記グランザイムＢ阻害剤を全身的に適用するために使用する、請求項１〜８のいずれか一に記載のグランザイムＢ阻害剤。
【請求項１０】
前記対象は人間を除く哺乳動物であることを特徴とする、請求項１〜９のいずれか一に記載のグランザイムＢ阻害剤。
【請求項１１】
前記対象は人間であることを特徴とする、請求項１〜９のいずれか一に記載のグランザイムＢ阻害剤。
【請求項１２】
対象の皮膚の若々しい外観を維持する、
対象の皮膚の老化の外観ないし発現を低減する、
対象の皮膚の老化の外観ないし発現を抑制する、
対象の皮膚の老化の発現速度を低減する、
対象の皮膚の非弾力性（弾力性のなさ）を低減する、
対象の皮膚の非弾力性の増加速度を低減する、
対象の皮膚弾力性を維持する、又は
対象の皮膚の体毛の毛包密度を増加するための美容的処置方法であって、該対象の皮膚にグランザイムＢ阻害剤を適用することを含む、美容的処置方法。
【請求項１３】
グランザイムＢ阻害剤又はグランザイムＢ作用物質ないしアゴニスト（agonist）の識別方法であって、
i）グランザイムＢを試験化合物と接触させ、初回刺激を受けた（primed）グランザイムＢを形成する、
ii）該初回刺激を受けたグランザイムＢを細胞外皮膚膜に接触させる、
iii）切断された細胞外蛋白質の量を測定する、
という手順を含み、
そして該切断された細胞外蛋白質の量が小さければ、該試験化合物はグランザイムＢ阻害剤と判断され、該切断された細胞外蛋白質の量が多ければ、該試験化合物はグランザイムＢ作用物質と判断される、ことを特徴とする方法。
【請求項１４】
グランザイムＢ阻害剤又はグランザイムＢ作用物質ないしアゴニストの識別方法であって、
i）グランザイムＢを試験化合物と接触させ、初回刺激を受けたグランザイムＢを形成する、
ii）該初回刺激を受けたグランザイムＢをエラスチンに接触させる、
iii）切断されたエラスチンの量を測定する、
という手順を含み、
そして該切断されたエラスチンの量が小さければ、該試験化合物はグランザイムＢ阻害剤と判断され、該切断されたエラスチンの量が多ければ、該試験化合物はグランザイムＢ作用物質と判断される、ことを特徴とする方法。
【手続補正書】
【提出日】平成22年3月24日(2010.3.24)
【手続補正１】
【補正対象書類名】特許請求の範囲
【補正対象項目名】全文
【補正方法】変更
【補正の内容】
【特許請求の範囲】
【請求項１】
有効量のセレン酸またはその薬学的に許容される塩を含む、神経変性疾患を治療または予防するための薬剤。
【請求項２】
神経変性疾患がタウオパチーである、請求項1記載の薬剤。
【請求項３】
タウオパチーが、初老期認知症、老人性認知症、アルツハイマー病、第17染色体にリンクしたパーキンソン症(FTDP-17)、進行性核上性麻痺、ピック病、一次進行性失語症、前頭側頭型認知症、および皮質基底認知症から選択される、請求項2記載の薬剤。
【請求項４】
タウオパチーが、初老期認知症、老人性認知症、およびアルツハイマー病から選択される、請求項3記載の薬剤。
【請求項５】
神経変性疾患を治療または予防するためのもう一つの治療薬または神経変性疾患の症状を軽減するためのもう一つの治療薬とともに投与するための、請求項1記載の薬剤。
【請求項６】
有効量のセレン酸またはその薬学的に許容される塩を含む、ニューロン、グリア細胞、またはレビー小体におけるタウタンパク質のリン酸化を阻害または低減するための薬剤。
【請求項７】
タウタンパク質が微小管関連タウタンパク質である、請求項6記載の薬剤。
【請求項８】
タウタンパク質が神経原線維濃縮体中にある、請求項6記載の薬剤。
【請求項９】
タウタンパク質のリン酸化過剰が阻害または阻止される、請求項6記載の薬剤。
【請求項１０】
有効量のセレン酸またはその薬学的に許容される塩を含む、PP2Aの活性を高めるための薬剤。
【請求項１１】
PP2Aが、Aktを脱リン酸化するアイソフォームである、請求項10記載の薬剤。
【請求項１２】
PP2Aが、タウタンパク質を脱リン酸化するアイソフォームである、請求項10記載の薬剤。
【請求項１３】
タウタンパク質が、ニューロン、グリア細胞、またはレビー小体中に見られる微小管関連タウタンパク質である、請求項12記載の薬剤。
【請求項１４】
有効量のセレン酸またはその薬学的に許容される塩を含む、ニューロンまたはグリア細胞におけるGSK3βの活性を阻害するための薬剤。
【請求項１５】
セレン酸またはその薬学的に許容される塩と、神経変性疾患を治療または予防するためのもう一つの薬剤とを含む、薬学的組成物。
【請求項１６】
他の薬剤が、コリンエステラーゼ阻害薬、N-メチル-D-アスパルテート受容体拮抗薬、エストロゲン様薬剤、非ステロイド抗炎症薬、レボドパ、ドーパデカルボキシラーゼ阻害薬、ドーパミン作動薬、モノアミンオキシダーゼB阻害薬、抗コリン作動薬、およびCOMT阻害薬の一つまたは複数から選択される、請求項15記載の薬学的組成物。
【請求項１７】
他の薬剤が、タクリン、ドネペジル、ガランタミン、リバスチグミン、メマンチン、プレマリン、アスピリン、イブプロフェン、レボドパ、カルビドパ、ベンセラジド、ブロモクリプチン、ペルゴリド、プラミペキソール、ロピニロール、カベルゴリン、アポモルフィン、リスリド、セレギリン、ラサジリン、メシル酸ベンズトロピン、塩酸トリヘキシフェニジル、エンタカポン、トルカポン、およびアマンタジンから選択される、請求項15記載の薬学的組成物。
【手続補正書】
【提出日】平成22年3月26日(2010.3.26)
【手続補正１】
【補正対象書類名】特許請求の範囲
【補正対象項目名】請求項１
【補正方法】変更
【補正の内容】
【請求項１】
幅方向を向いた軸棒によってつながる一連の連続した幅方向（ＣＤ）のスパイラルコイルからなって無端ループを形成するベルト本体と、
前記ベルト本体に組み入れられた複数のＣＤドライブバーとを備え、
各ＣＤドライブバーは、第１のスパイラルコイルと第３のスパイラルコイルとからなり、第１のスパイラルコイルの一方の端はベルト本体内の第２のスパイラルコイルのみに取り付けられ、第３のスパイラルコイルの一方の端はベルト本体内の第４のスパイラルコイルのみに取り付けられ、第１及び第３のスパイラルコイルのもう一方の端は、ベルト本体の面外で結合されていることを特徴とするスパイラルリンクベルト。
【手続補正２】
【補正対象書類名】特許請求の範囲
【補正対象項目名】請求項１１
【補正方法】変更
【補正の内容】
【請求項１１】
幅方向を向いた軸棒によってつながる一連の連続した幅方向（ＣＤ）のスパイラルコイルからなって無端ループを形成するベルト本体と、
前記ベルト本体に組み入れられた複数のＣＤドライブバーとを備え、
各ＣＤドライブバーは、ベルト本体内の第２のスパイラルコイルに一方の端を取り付けられた第１のスパイラルコイルと、ベルト本体内の第４のスパイラルコイルに一方の端を取り付けられた第３のスパイラルコイルとからなり、第１及び第３のスパイラルコイルのもう一方の端は、第５のスパイラルコイルと第６のスパイラルコイルの一方の端にそれぞれ結合され、第５及び第６のスパイラルコイルのもう一方の端は、ベルト本体の面外で結合されていることを特徴とするスパイラルリンクベルト。
【手続補正３】
【補正対象書類名】特許請求の範囲
【補正対象項目名】請求項１２
【補正方法】変更
【補正の内容】
【請求項１２】
幅方向を向いた軸棒によってつながる一連の連続した幅方向（ＣＤ）のスパイラルコイルからなって無端ループを形成するベルト本体と、
前記ベルト本体に組み入れられた複数のＣＤドライブバーとを備え、
各ＣＤドライブバーは、ベルト本体内の第２のスパイラルコイルに一方の端を取り付けられた第１のスパイラルコイルと、ベルト本体内の第４のスパイラルコイルに一方の端を取り付けられた第３のスパイラルコイルとからなり、第１及び第３のスパイラルコイルのもう一方の端は、ベルト本体の面外で第５のスパイラルコイルにそれぞれ結合されていることを特徴とするスパイラルリンクベルト。
【手続補正書】
【提出日】平成22年3月29日(2010.3.29)
【手続補正１】
【補正対象書類名】特許請求の範囲
【補正対象項目名】全文
【補正方法】変更
【補正の内容】
【特許請求の範囲】
【請求項１】
ホスファチジルコリン（ＰＣ）、ホスファチジルイノシトール（ＰＩ）およびコレステロールを含む脂質粒子であって、
ＰＣのＰＩに対する比率が７０：３０から３０：７０の間であり、且つコレステロールがＰＣおよびＰＩを合わせたものの１から３３％の間で存在し、
前記粒子のサイズは４０から１４０ｎｍの間である、脂質粒子。
【請求項２】
ＰＣのＰＩに対する比率が６０：４０から４０：６０の間である請求項１に記載の粒子。
【請求項３】
ＰＣのＰＩに対する比率が５０：５０であり、且つコレステロールはＰＣおよびＰＩを合わせたものの５−１５％の間である請求項２に記載の粒子。
【請求項４】
ＰＣおよびＰＩの各アシル鎖が独立して１２個から２２個の炭素原子を有し、且つ飽和または不飽和である請求項１に記載の粒子。
【請求項５】
粒子が凍結乾燥形態で存在する請求項１に記載の粒子。
【請求項６】
ＰＩが大豆ＰＩであり、そしてＰＣが卵ＰＣである請求項１に記載の粒子。
【請求項７】
請求項１に記載の脂質粒子を含み、且つ、当該脂質粒子と会合した一以上の治療薬をさらに含む組成物であって、前記治療薬はペプチド、ポリペプチドまたはタンパク質であり、当該治療薬の免疫原性が低下している組成物。
【請求項８】
治療薬が血液凝固カスケードに関与するタンパク質である請求項７に記載の組成物。
【請求項９】
治療薬が第ＶＩＩＩ因子、第ＶＩＩ因子、第ＩＸ因子、第Ｖ因子、ウィルブランド因子（ｖＷＦ）およびフォンヘルデブラント因子（ｖＨＦ）からなる群から選択される請求項８に記載の組成物。
【請求項１０】
治療薬が組織プラスミノーゲンアクチベーター、インスリン、成長ホルモン、エリスロポエチンアルファ、ＶＥＧ−Ｆ、トロンボポエチンおよびリゾチームからなる群から選択される請求項７に記載の組成物。
【請求項１１】
脂質粒子の少なくとも５０％、６０％、７０％、８０％または９０％が４０から１００ｎｍの間のサイズである請求項１０に記載の組成物。
【請求項１２】
脂質粒子のサイズが８０ｎｍから１００ｎｍの間である請求項１１に記載の組成物。
【請求項１３】
ペプチド、ポリペプチドまたはタンパク質からなる群から選択される治療薬の免疫原性を低下させる方法であって
ａ）ＰＣ、ＰＩおよびコレステロールを含む多重膜ベシクルを定寸装置を通して押し出して１４０ｎｍ未満の脂質粒子を形成することにより請求項１に記載の脂質粒子を調製する工程；ならびに
ｂ）治療薬を工程ａ）で調製された脂質粒子と混合し、治療薬の免疫原性を低下させる工程
を含む方法。
【請求項１４】
ヒト以外の哺乳類の血液凝固疾患を治療するための組成物の使用であって、
前記組成物が、脂質粒子と当該粒子と会合した一以上の治療薬を含み、
前記脂質粒子は、ホスファチジルコリン（ＰＣ）、ホスファチジルイノシトール（ＰＩ）およびコレステロールを含み、ＰＣのＰＩに対する比率が７０：３０から３０：７０の間であり、且つコレステロールがＰＣおよびＰＩを合わせたものの１から３３％の間で存在し、
前記粒子のサイズは４０から１４０ｎｍの間である、組成物の使用。
【請求項１５】
治療薬が第ＶＩＩＩ因子、第ＶＩＩ因子、第ＩＸ因子、第Ｖ因子、ウィルブランド因子（ｖＷＦ）およびフォンヘルデブラント因子（ｖＨＦ）からなる群から選択される請求項１４に記載の組成物の使用。
【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
インスリン抵抗性症候群、糖尿病、多嚢胞性卵巣症候群、高脂血症、脂肪肝疾患、悪液質、肥満、アテローム性動脈硬化および動脈硬化からなる群から選択される状態を有する哺乳動物対象を治療するための剤であって、式Ｉの化合物または薬学的に許容されるその塩
【化１】
2009532372.tif 000001
［式中：
ｍは、０、２または４であり；
Ｘは−ＯＲ７であり、ここでＲ７は水素または１〜３個の炭素原子を有するアルキルであり；
Ｒ６は、水素、Ｏまたはヒドロキシであり；
Ｒ１、Ｒ２、Ｒ３、Ｒ４およびＲ５のうちの３つは水素であり、残りは、水素、ハロ、ヒドロキシ、メチル、エチル、ペルフルオロメチル、メトキシ、エトキシ、およびペルフルオロメトキシからなる群より独立に選択されるか；
または、Ｘは−ＮＲ８Ｒ９であり、ここでＲ８は水素またはヒドロキシであり、Ｒ９は、水素、メチルまたはエチルであり；
Ｒ６は水素であり；
Ｒ１、Ｒ２、Ｒ３、Ｒ４およびＲ５のうちの３つは水素であり、残りは、水素、ハロ、メチル、エチル、ペルフルオロメチル、メトキシ、エトキシ、およびペルフルオロメトキシからなる群より独立に選択される］と、
直接ＰＰＡＲ−ガンマアゴニストとを含み
該直接ＰＰＡＲ−ガンマアゴニストおよび該式Ｉの化合物またはその塩の一方または双方が、単独で投与される際の通常の治療的投薬量より少ない量で該剤中に存在する、剤。
【請求項２】
Ｒ１がメチルであり、Ｒ５がメチルである請求項１に記載の剤。
【請求項３】
Ｘが−ＯＲ７であり、ここでＲ７が水素または１〜３個の炭素原子を有するアルキルである請求項１に記載の剤。
【請求項４】
Ｘが−ＮＲ８Ｒ９であり、ここでＲ８が水素またはヒドロキシであり、Ｒ９が水素、メチルまたはエチルである請求項１に記載の剤。
【請求項５】
前記化合物が式ＩＡで表される請求項１に記載の剤。
【化２】
2009532372.tif 000002
【請求項６】
Ｒ１がメチルであり、Ｒ５がメチルである請求項５に記載の剤。
【請求項７】
前記化合物が、４−（３−（２，６−ジメチルベンジルオキシ）フェニル）−４−オキソ酪酸である請求項６に記載の剤。
【請求項８】
前記化合物が、３−（２，６−ジメチルベンジルオキシ）−フェニル酢酸である請求項６に記載の剤。
【請求項９】
前記化合物が、４−３−（２，６−ジメチルベンジルオキシ）−フェニル）−４（Ｒ）−ヒドロキシブタン酸である請求項６に記載の剤。
【請求項１０】
前記化合物が、Ｎ−ヒドロキシ−２−［３−（２，６−ジメチルベンジルオキシ）フェニル］アセトアミドである請求項６に記載の剤。
【請求項１１】
前記直接ＰＰＡＲ−ガンマアゴニストが、ロシグリタゾンおよびピオグリタゾン、薬学的に許容されるそれらの塩、水和物、および溶媒和物、ならびにそのような塩の水和物および溶媒和物からなる群から選択される請求項１に記載の剤。
【請求項１２】
前記直接ＰＰＡＲ−ガンマアゴニストが、
５−［（２，４−ジオキソチアゾリジン−５−イル）メチル］−２−メトキシ−Ｎ−［［４−（トリフルオロメチル）−フェニル］メチル］ベンズアミド；
（＋）−５−［［６−（２−フルオロベンジル）−オキシ−２−ナフィ］メチル］−２，４−チアゾリジンジオン；
４−［４−［２−（５−メチル−２−フェニル−４−オキサゾリル）エトキシ］ベンジル］−３，５−イソオキサゾリジンジオン）；
（−）３−［４−［２−（フェノキサジン−１０−イル）エトキシ］フェニル］−２−エトキシプロパン酸；
［５−［４−［２−（１−インドリル）エトキシ］フェニル］メチル］チアゾリジン−２，４−ジオン；
５−［４−［２−（５−メチル−２−フェニル−４−オキサゾリル）−２−ヒドロキシエトキシ］ベンジル］−２，４−チアゾリジンジオン；
（Ｓ）−２−エトキシ−３−［４−［２−（４−メチルスルホニルオキシフェニル）エトキシ］フェニル］プロパン酸；
および｛［±］−５−［（７−ベンジルオキシ−３−キノリル）メチル］−２，４−チアゾリジンジオン｝からなる群から選択される請求項１に記載の剤。
【請求項１３】
前記対象がヒトである請求項１に記載の剤。
【請求項１４】
前記直接ＰＰＡＲ−ガンマアゴニストが、単独で投与される際の通常の治療的投薬量より少ない量で該剤中に存在する請求項１に記載の剤。
【請求項１５】
前記式Ｉの化合物またはその塩が、単独で投与される際の通常の治療的投薬量より少ない量で該剤中に存在する請請求項１に記載の剤。
【請求項１６】
前記併用量が、前記治療の結果により対象で体重の減少および食欲の減退の１つまたは複数が生じるように選択される請求項１に記載の剤。
【請求項１７】
前記直接ＰＰＡＲ−ガンマアゴニストおよび式Ｉの化合物を一緒に混合して混合剤を形成し、該混合剤が対象に投与されるものであることを特徴とする請求項１に記載の剤。
【請求項１８】
前記直接ＰＰＡＲ−ガンマアゴニストおよび式Ｉの化合物を一緒に混合せず、混合剤を形成せず、しかしながら独立に対象に投与されるものであることを特徴とする請求項１に記載の剤。
【請求項１９】
前記状態が、インスリン抵抗性症候群またはＩＩ型糖尿病である請求項１に記載の剤。
【請求項２０】
前記治療が糖尿病の症状または糖尿病の症状を発症する機会を低減し、該症状は、糖尿病に伴うアテローム性動脈硬化、肥満、高血圧、高脂血症、脂肪肝疾患、ネフロパシー、ニューロパシー、網膜症、足部潰瘍形成および白内障からなる群から選択される請求項１に記載の剤。
【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2009532380.tif 000001
［式中、
ｎは整数０〜２であり；
Ｒ1は、シクロアルキル、アリールおよびヘテロアリールよりなる群から選ばれ；
ここで、アリールまたはヘテロアリールは、場合によっては、ハロゲン、ヒドロキシ、アミノ、Ｃ1-4アルキルアミノ、ジ（Ｃ1-4アルキル）アミノ、シアノ、ニトロ、Ｃ1-4アルキル、Ｃ1-4アルコキシ、ハロゲン置換Ｃ1-4アルキルおよびハロゲン置換Ｃ1-4アルコキシよりなる群から独立して選ばれる１個以上の置換基により置換されている］
の化合物、または製薬学的に許容できるその塩。
【請求項２】
ｎが整数０〜２であり；
Ｒ1が、シクロアルキル、アリールおよび５ないし６員のヘテロアリールよりなる群から選ばれ；
ここで、アリールまたはヘテロアリールは、場合によっては、ハロゲン、アミノ、Ｃ1-4アルキルアミノ、ジ（Ｃ1-4アルキル）アミノ、シアノ、ニトロ、Ｃ1-4アルキルおよびフッ素置換Ｃ1-4アルキルよりなる群から独立して選ばれる１個以上の置換基により置換されている、
請求項１に記載の化合物、または製薬学的に許容できるその塩。
【請求項３】
ｎが整数０〜２であり；
Ｒ1が、シクロアルキル、フェニルおよび６員のヘテロアリールよりなる群から選ばれ；ここで、アリールまたはヘテロアリールは、場合によっては、ハロゲン、Ｃ1-4アルキル、フッ素置換Ｃ1-4アルキルおよびシアノよりなる群から独立して選ばれる１〜３個の置換基により置換されている、
請求項２に記載の化合物、または製薬学的に許容できるその塩。
【請求項４】
ｎが整数０〜２であり；
Ｒ1が、シクロヘキシル、１−アダマンチル、フェニル、４−クロロフェニル、３，４−ジクロロフェニル、２−フルオロフェニル、２−トリフルオロメチル−フェニル、３−トリフルオロメチル−フェニル、３．５−ビス（トリフルオロメチル）−フェニル、２−エチル−４−シアノ−フェニル、２，４−ジクロロ−６−メチル−フェニルおよび５−シアノ−ピリド−２−イルよりなる群から選ばれる、
請求項３に記載の化合物、または製薬学的に許容できるその塩。
【請求項５】
ｎが整数０〜１であり；
Ｒ1が、フェニル、４−クロロフェニル、３−トリフルオロメチル−フェニル、２−エチル−４−シアノ−フェニルおよび２，４−ジクロロ−６−メチル−フェニルよりなる群から選ばれる、
請求項４に記載の化合物、または製薬学的に許容できるその塩。
【請求項６】
３−エチル−４−［［２−（１−オキサスピロ［４．４］ノン−６−イルアミノ）−３，４−ジオキソ−１−シクロブテン−１−イル］アミノ］−ベンゾニトリルおよび製薬学的に許容できるその塩よりなる群から選ばれる、請求項４に記載の化合物。
【請求項７】
製薬学的に許容できる担体および請求項１に記載の化合物を含んでなる製薬学的組成物。
【請求項８】
請求項１に記載の化合物を有効成分として含む、イオンチャンネルに関連する障害を処置するための製薬学的製剤。
【請求項９】
イオンチャンネルがカリウムイオンチャンネルである、請求項８に記載の製薬学的製剤。
【請求項１０】
イオンチャンネルがＡＴＰ感受性カリウムイオンチャンネルである、請求項９に記載の製薬学的製剤。
【請求項１１】
イオンチャンネルに関連する障害が、尿失禁、過活動性膀胱、高血圧、勃起機能不全、女性性的障害、月経困難、感応性腸症候群、気道機能亢進、てんかん、卒中、アルツハイマー病、パーキンソン病、心筋傷害、冠状動脈疾患、毛髪喪失および禿頭症よりなる群から選ばれる、請求項８に記載の製薬学的製剤。
【請求項１２】
イオンチャンネルに関連する障害が、尿失禁および過活動性膀胱よりなる群から選ばれる、請求項８に記載の製薬学的製剤。
【請求項１３】
請求項７に記載の組成物の治療学的に有効な量を、それを必要とする被験者に投与することを含む、尿失禁、過活動性膀胱、高血圧、勃起機能不全、女性性的障害、月経困難、感応性腸症候群、気道機能亢進、てんかん、卒中、アルツハイマー病、パーキンソン病、心筋傷害、冠状動脈疾患、毛髪喪失および禿頭症よりなる群より選ばれる障害の処置方法。
【手続補正書】
【提出日】平成22年3月30日(2010.3.30)
【手続補正１】
【補正対象書類名】特許請求の範囲
【補正対象項目名】全文
【補正方法】変更
【補正の内容】
【特許請求の範囲】
【請求項１】
ニューロンをＳＬＰＩと接触させる工程を含むインビトロの方法であって、該接触が、
（ａ）該ニューロンの軸索伸長を刺激するか；
（ｂ）該ニューロン中のＮＦ−κＢまたはｃ−ｊｕｎ活性を減少させるか；または
（ｃ）ミエリンによって該ニューロンの軸索伸長の阻害を減少させる、
方法。
【請求項２】
ＳＬＰＩの投与後に前記ニューロンの成長をモニタリングする工程をさらに含む、請求項１に記載の方法。
【請求項３】
前記接触工程が、前記ニューロンの細胞体または前記ニューロンの軸索を接触させることを含む、請求項１または２に記載の方法。
【請求項４】
前記ニューロンが損傷しているニューロンである、請求項１〜３のいずれか１項に記載の方法。
【請求項５】
前記ニューロンの細胞体が脊髄中または末梢神経系中に存在する、請求項１〜４のいずれか１項に記載の方法。
【請求項６】
前記ニューロンが運動ニューロンである、請求項１〜５のいずれか１項に記載の方法。
【請求項７】
薬物の製造のためのＳＬＰＩを含む組成物の使用であって、該薬物が、ニューロンに投与した場合の
（ａ）ニューロンにおける軸索成長の刺激；または
（ｂ）ニューロンの軸索伸長の阻害の減少、
に有用である使用。
【請求項８】
前記ニューロンの成長をモニタリングする、請求項７に記載の使用。
【請求項９】
前記薬物を、前記ニューロンの細胞体または前記ニューロンの軸索に投与する、請求項７または８に記載の使用。
【請求項１０】
前記ニューロンが損傷しているニューロンである、請求項７〜９のいずれか１項に記載の使用。
【請求項１１】
前記ニューロンの細胞体が脊髄中または末梢神経系中に存在する、請求項７〜１０のいずれか１項に記載の使用。
【請求項１２】
前記ニューロンが運動ニューロンである、請求項７〜１１のいずれか１項に記載の使用。
【請求項１３】
（ａ）患者の神経系における神経の成長または再生の刺激；
（ｂ）患者の傷害または神経組織の損傷の治療；または
（ｃ）患者の疾患、疾病、または容態に関連する神経の変性または損傷の治療または防止、
に有用な薬物の製造のためのＳＬＰＩを含む組成物の使用。
【請求項１４】
前記薬物が、患者の傷害または神経組織の損傷の治療に有用であり、該傷害または損傷が、末梢神経の傷害またはニューロパシー、頭蓋もしくは脳の外傷、動脈瘤、脊髄損傷、または卒中に起因する、請求項１３に記載の使用。
【請求項１５】
前記患者が、筋萎縮性側索硬化症、アルツハイマー病、パーキンソン病、ハンチントン病、多発性硬化症、クロイツフェルト・ヤコブ病、クールー、多系統萎縮症、筋萎縮性側索硬化症（ルー・ゲーリッグ病）、進行性核上麻痺、視神経炎、糖尿病性網膜症、黄斑変性、または緑内障を罹患している、請求項１３に記載の使用。
【請求項１６】
ニューロンに投与した場合の、
（ａ）ニューロンにおける軸索成長の刺激；または
（ｂ）ニューロンの軸索伸長の阻害の減少、
における使用のためのＳＬＰＩを含む組成物。
【請求項１７】
前記ニューロンの成長をモニタリングする、請求項１６に記載の組成物。
【請求項１８】
前記組成物を、前記ニューロンの細胞体または前記ニューロンの軸索に投与する、請求項１６または１７に記載の組成物。
【請求項１９】
前記ニューロンが損傷しているニューロンである、請求項１６〜１８のいずれか１項に記載の組成物。
【請求項２０】
前記ニューロンの細胞体が脊髄中または末梢神経系中に存在する、請求項１６〜１９のいずれか１項に記載の組成物。
【請求項２１】
前記ニューロンが運動ニューロンである、請求項１６〜２０のいずれか１項に記載の組成物。
【請求項２２】
（ａ）患者の神経系における神経の成長または再生の刺激；
（ｂ）患者の傷害または神経組織の損傷の治療；または
（ｃ）患者の疾患、疾病、または容態に関連する神経の変性または損傷の治療または防止、
における使用のためのＳＬＰＩを含む組成物。
【請求項２３】
前記組成物が、患者の傷害または神経組織の損傷の治療に有用であり、該傷害または損傷が、末梢神経の傷害またはニューロパシー、頭蓋もしくは脳の外傷、動脈瘤、脊髄損傷、または卒中に起因する、請求項２２に記載の組成物。
【請求項２４】
前記患者が、筋萎縮性側索硬化症、アルツハイマー病、パーキンソン病、ハンチントン病、多発性硬化症、クロイツフェルト・ヤコブ病、クールー、多系統萎縮症、筋萎縮性側索硬化症（ルー・ゲーリッグ病）、進行性核上麻痺、視神経炎、糖尿病性網膜症、黄斑変性、または緑内障を罹患している、請求項２２に記載の組成物。
【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2009532363.tif 000001
［式中、Ｒ１およびＲ２はそれぞれ、群：Ｈ、Ｆ、ＣｌおよびＣＨ３から独立して選択され、ｎ１およびｎ２はそれぞれ独立して整数３〜２０であり、ｑおよびｒはそれぞれ独立して整数０、１または２であり、ただしｑ＋ｒは≧１であり、Ｄは群：
【化２】
2009532363.tif 000002
（式中、Ｒ３はＣ１〜Ｃ６の直鎖または分岐鎖アルキル基である）
から選択される二価のキラル基であり、各Ｂ１およびＢ２は群：Ｒ４−置換−１，４−フェニル（ここで、Ｒ４はＨ、−ＣＨ３または−ＯＣＨ３である）、２，６−ナフチル、お
よび４，４’−ビフェニルから独立して選択される二価の基であり、ただし、ｑ＋ｒ＝３であるとき、Ｂ１およびＢ２の少なくとも１つがＲ４−置換−１，４−フェニルであり、ｑ＋ｒ＝４であるとき、Ｂ１およびＢ２の少なくとも２つがＲ４−置換−１，４−フェニルである］
の化合物。
【請求項２】
Ｄが群：（Ｄ１）、（Ｄ２）および（Ｄ３）から選択される請求項１に記載の化合物。
【請求項３】
ｑおよびｒが１に等しく、Ｂ１およびＢ２がＲ４−置換−１，４−フェニルである請求項１に記載の化合物。
【請求項４】
請求項１に記載の少なくとも１つの化合物を含む重合性液晶組成物。
【請求項５】
１２０℃未満でねじれネマチック相を有する請求項４に記載の重合性液晶組成物。
【請求項６】
請求項４または５に記載の組成物の重合から誘導されるポリマー網状構造。
【請求項７】
光学素子多層ラミネートまたは顔料として製造される請求項６に記載のポリマー網状構造。
【請求項８】
ａ）キラル有機ジオールを提供する工程、
ｂ）上記キラル有機ジオールを式（II）：
【化３】
2009532363.tif 000003
（式中、ＸはＣｌ、ＢｒまたはＯＨであり、Ｘ１は群：Ｃｌ、Ｂｒ、Ｉ、−ＯＭｓ、−ＯＴｓおよび−ＯＴｆから選択され、ｎは３〜２０の整数である）
の１つまたはそれ以上の官能化アルキル酸または酸ハロゲン化物と第１反応溶媒中、第１反応温度で反応させて１つまたはそれ以上の多官能化エステルおよび第１スペント反応混合物を生成する工程、および
ｃ）上記１つまたはそれ以上の多官能化エステルを（メタ）アクリル酸塩と、相間移動触媒、および第２反応溶媒の存在下に第２反応温度で反応させて、１つまたはそれ以上のポリ（メタ）アクリレートエステルおよび第２スペント反応混合物を生成する工程
を含む方法。
【請求項９】
工程（ｂ）が塩基の添加をさらに含み、そして工程（ｃ）が１つまたはそれ以上のラジカル禁止剤の添加をさらに含む請求項８に記載の方法。
【請求項１０】
第２反応溶媒が第１スペント反応混合物を含む請求項８に記載の方法。
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
１，２，３，３，３−ペンタフルオロプロペンと２，３，３，３−テトラフルオロプロペンを併産する方法であって：
触媒を有する反応ゾーンで１，１，１，２，３，３−ヘキサフルオロプロパンと１，１，１，２，３−ペンタフルオロプロパンとのブレンドを脱フッ化水素させ、それによって、上記１，２，３，３，３−ペンタフルオロプロペンと２，３，３，３−テトラフルオロプロペン、未反応のハイドロフルオロカーボン、およびフッ化水素を含む生成混合物を形成させること、およびフッ化水素と上記未反応のハイドロフルオロカーボンから上記１，２，３，３，３−ペンタフルオロプロペンと２，３，３，３−テトラフルオロプロペンとのブレンドを分離して、１，２，３，３，３−ペンタフルオロプロペンと２，３，３，３−テトラフルオロプロペンを生成させること
を含む、上記方法。
【手続補正２】
【補正対象書類名】明細書
【補正対象項目名】００３１
【補正方法】変更
【補正の内容】
【００３１】
本発明を要約すると下記のとおりである。
１．１，２，３，３，３−ペンタフルオロプロペンと２，３，３，３−テトラフルオロプロペンを併産する方法であって：
触媒を有する反応ゾーンで１，１，１，２，３，３−ヘキサフルオロプロパンと１，１，１，２，３−ペンタフルオロプロパンとのブレンドを脱フッ化水素させ、それによって、上記１，２，３，３，３−ペンタフルオロプロペンと２，３，３，３−テトラフルオロプロペン、未反応のハイドロフルオロカーボン、およびフッ化水素を含む生成混合物を形成させること、およびフッ化水素と上記未反応のハイドロフルオロカーボンから上記１，２，３，３，３−ペンタフルオロプロペンと２，３，３，３−テトラフルオロプロペンとのブレンドを分離して、１，２，３，３，３−ペンタフルオロプロペンと２，３，３，３−テトラフルオロプロペンを生成させること
を含む、上記方法。
２．未反応のハイドロフルオロカーボンを反応ゾーンに戻して再循環させることを更に含む、上記１に記載の方法。
３．方法が、約２００℃から約５００℃の温度で実施される、上記１に記載の方法。
４．触媒が、フッ化アルミニウム、フッ化物化アルミナ、およびフッ化物化アルミナ上金属からなる群から選択される、上記１に記載の方法。
５．触媒がフッ化アルミニウムである、上記４に記載の方法。
６．方法が、不活性ガスの存在下で実施される、上記１に記載の方法。
７．不活性ガスが窒素である、上記６に記載の方法。
８．反応ゾーンに供給される１，１，１，２，３，３−ヘキサフルオロプロパンと１，１，１，２，３−ペンタフルオロプロパンとのモル比が約１０：１〜約８０：１である、上記１に記載の方法。
９．反応ゾーンに供給される１，１，１，２，３，３−ヘキサフルオロプロパンと１，１，１，２，３−ペンタフルオロプロパンとのモル比が約３５：１〜約８０：１である、上記８に記載の方法。
１０．ハイドロフルオロオレフィンを、フッ化水素とハイドロフルオロカーボンから蒸留により分離する、上記１に記載の方法。
以下の実施例は本発明を説明するものであり、限定するものではない。
【手続補正書】
【提出日】平成22年3月17日(2010.3.17)
【手続補正１】
【補正対象書類名】特許請求の範囲
【補正対象項目名】全文
【補正方法】変更
【補正の内容】
【特許請求の範囲】
【請求項１】
天然Ｆｃｅレセプタを結合できるＩｇＥ断片に機能的に接続されたアレルゲンをコード化する核酸ベクターを含むワクチン。
【請求項２】
前記核酸は前記ＩｇＥ断片に間接的かつ機能的に接続される、請求項１に記載のワクチン。
【請求項３】
核酸は核酸結合剤によって前記ＩｇＥ断片に接続される、請求項２に記載のワクチン。
【請求項４】
前記核酸結合剤は、ポリ‐Ｌ‐リジン、ポリ‐Ｌ‐アルギニン‐リジン、スペルミン、スペルミジン、およびポリエチルイミンポリマーから成る群から選択される、請求項３に記載のワクチン。
【請求項５】
前記ＩｇＥ断片は、共有結合、ジスルフィド結合、およびアビジン／ストレプタビジン結合から成る群から選択される結合によって、前記核酸結合剤に付加される、請求項３に記載のワクチン。
【請求項６】
前記ＩｇＥ断片は、共有結合によって前記核酸結合剤に付加される、請求項５に記載のワクチン。
【請求項７】
前記核酸結合剤はポリ‐１‐リジンである、請求項４に記載のワクチン。
【請求項８】
前記ＩｇＥ断片が、
（ｉ）ＩｇＥのＣＨ２‐ＣＨ３‐ＣＨ４ドメイン；または
（ｉｉ）ＩｇＥのＣＨ１‐ＣＨ２‐ＣＨ３‐ＣＨ４ドメイン、
を含む、請求項１に記載のワクチン。
【請求項９】
前記ＩｇＥ断片はヒト型である、請求項１に記載のワクチン。
【請求項１０】
前記アレルゲンをコード化する前記核酸は、樹木状細胞プロモータに操作可能に連結されており、任意に該樹木状細胞プロモータは、ｆａｓｃｉｎプロモータである、請求項１に記載のワクチン。
【請求項１１】
前記アレルゲンは表１の群から選択され、任意に該アレルゲンはＦｅｌ  ｄ１である、請求項１に記載のワクチン。
【請求項１２】
薬学的に許容しうる材料との混合物に請求項１に記載のワクチンを含む、医薬組成物。
【請求項１３】
容器、前記容器内の請求項１に記載のワクチン、および前記容器上のラベルまたは添付文書、あるいは前記容器上に、あるいは、それに伴うラベルまたは添付文書を含む製品であって、該ラベルまたは添付文書は、
（ｉ）ＩｇＥ媒介の生物学的反応の治療に関する説明書を含み、任意に該生物学的反応は、ＩｇＥ媒介の過敏反応であり、任意に該ＩｇＥ媒介の過敏反応は、喘息、アレルギー性鼻炎、アトピー性皮膚炎、重度の食物アレルギー、慢性蕁麻疹、血管浮腫、およびアナフィラキシー・ショックから成る群から選択される；または
（ｉｉ）以下：
（ａ）感染症であって、任意に該感染症はウイルス感染である感染症；
（ｂ）自己免疫疾患；または
（ｃ）癌
の治療のための説明書、
を含む、製品。
【請求項１４】
ヒト患者におけるＩｇＥ媒介の過敏反応に関連する状態の予防または治療における使用のための請求項１に記載のワクチンであって、任意に該状態は、喘息、アレルギー性鼻炎、アトピー性皮膚炎、重度の食物アレルギー、慢性蕁麻疹、血管浮腫、およびアナフィラキシー・ショックから成る群から選択される、ワクチン。
【請求項１５】
（ａ）感染症であって、任意に該感染症はウイルス感染である感染症；
（ｂ）自己免疫疾患；または
（ｃ）癌
の被験体における予防または治療のための請求項１に記載のワクチン。
【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2009532362.tif 000001
［式中、Ｒ１およびＲ２はそれぞれ、群：Ｈ、Ｆ、ＣｌおよびＣＨ３から独立して選択され、ｎ１およびｎ２はそれぞれ独立して整数３〜２０であり、ｍおよびｐはそれぞれ独立して整数０、１または２であり、Ａは群：
【化２】
2009532362.tif 000002
（式中、Ｒ３〜Ｒ１０はそれぞれ、群：Ｈ、Ｃ１〜Ｃ８の直鎖または分岐鎖アルキル、Ｃ１〜Ｃ８の直鎖または分岐鎖アルキルオキシ、Ｆ、Ｃｌ、フェニル、−Ｃ（Ｏ）ＣＨ３、ＣＮ、およびＣＦ３から独立して選択され、Ｘ２は群：−Ｏ−、−（ＣＨ３）２Ｃ−、および−（ＣＦ３）２Ｃ−から選択される二価の基である）
から選択される二価の基であり、各Ｂ１およびＢ２は、群：Ｒ１１−置換−１，４−フェニル（ここで、Ｒ１１はＨ、−ＣＨ３または−ＯＣＨ３である）、２，６−ナフチル、および４，４’−ビフェニルから独立して選択される二価の基であり、ただし、ｍ＋ｐが３または４に等しいとき、Ｂ１およびＢ２の少なくとも２つはＲ１１−置換−１，４−フェニルである］
の化合物。
【請求項２】
請求項１に記載の少なくとも１つの化合物を含む液晶組成物。
【請求項３】
少なくとも１種のキラル化合物をさらに含む請求項２に記載の液晶組成物。
【請求項４】
キラル化合物がコレステリルエステルまたはカーボネートである請求項３に記載の液晶組成物。
【請求項５】
キラル化合物が、式（Ｘ）：
【化３】
2009532362.tif 000003
［式中、Ｒ１およびＲ２はそれぞれ、群：Ｈ、Ｆ、ＣｌおよびＣＨ３から独立して選択され、ｎ１およびｎ２はそれぞれ独立して整数３〜２０であり、ｑおよびｒは独立して整数０、１または２であり、ただしｑ＋ｒは≧１であり、Ｄは群：
【化４】
2009532362.tif 000004
から選択される二価のキラル基であり、Ｂ３およびＢ４はそれぞれ、群：Ｒ１１−置換−１，４−フェニル（ここで、Ｒ１１はＨ、−ＣＨ３または−ＯＣＨ３である）、２，６−ナフチル、および４，４’−ビフェニルから独立して選択される二価の基であり、式中、ｑ＋ｒ＝３であるとき、Ｂ３およびＢ４の少なくとも１つはＲ４−置換−１，４−フェニルであり、ｑ＋ｒ＝４であるとき、Ｂ３およびＢ４の少なくとも２つはＲ４−置換−１，４−フェニルである］
ならびに、式（ＸＩ）：
【化５】
2009532362.tif 000005
［式中、Ｒ１は群：Ｈ、Ｆ、Ｃｌ、およびＣＨ３から選択され、Ｅは群：−（ＣＨ２）ｎ３−、−（ＣＨ２）ｎ４Ｏ−、および−（ＣＨ２ＣＨ２Ｏ）ｎ５−（ここで、ｎ３およびｎ４は整数３〜２０であり、そしてｎ５は整数１〜４である）から選択され、そしてｙは
整数０または１である］のコレステリルエステルおよびカーボネート
の群から選択される請求項３に記載の液晶組成物。
【請求項６】
請求項２に記載の液晶組成物の重合から誘導されるポリマー網状構造。
【請求項７】
ａ）各ヒドロキシル基が有機ポリオール内の異なる炭素原子に結合している、少なくとも２つのヒドロキシル基と少なくとも２つの共有結合炭素原子とを含む１つまたはそれ以上の有機ポリオールを提供する工程、
ｂ）上記有機ポリオールを式（Ｖ）：
【化６】
2009532362.tif 000006
（式中、ＸはＣｌ、Ｂｒまたは−ＯＨであり、Ｘ１は群：Ｃｌ、Ｂｒ、Ｉ、−ＯＭｓ、−ＯＴｓおよび−ＯＴｆから選択され、そしてｎは３〜２０の整数である）
の１つまたはそれ以上の官能化アルキル酸または酸ハロゲン化物、および第１反応溶媒と第１反応温度で反応させて１つまたはそれ以上の多官能化アリールアルカノアートエステルおよび第１スペント反応混合物を生成する工程、および
ｃ）上記１つまたはそれ以上の多官能化アリールアルカノアートエステルを（メタ）アクリル酸塩と、相間移動触媒、および第２反応溶媒の存在下に第２反応温度で反応させて１つまたはそれ以上のポリ（メタ）アクリレート−アリールアルカノアートエステルおよび第２スペント反応混合物を生成する工程
を含む方法。
【請求項８】
工程（ｂ）が塩基の添加をさらに含み、そして工程（ｃ）が１つまたはそれ以上のラジカル禁止剤の添加をさらに含む請求項７に記載の方法。
【請求項９】
ｄ）１つまたはそれ以上の多官能化アリールアルカノアートエステルを第１スペント反応混合物から分離する工程、および
ｅ）１つまたはそれ以上のポリ（メタ）アクリレート−アリールアルカノアートエステルを第２スペント反応混合物から分離する工程
をさらに含む請求項７に記載の方法。
【請求項１０】
第２反応溶媒が第１スペント反応混合物を含む請求項７に記載の方法。
【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
レーザ出力光の帯域幅を算出する方法であって、
レーザ出力光の少なくとも一部分を、分光器に通し、出力光スペクトルを表す複数のスペクトル画像を生成する段階、
前記スペクトル画像を光検出要素のアレイに向ける段階、
前記スペクトル画像と光検出要素との間の異なるレジストレーション相における少なくとも２つのスペクトル画像の帯域幅を決定する段階、及び
前記帯域幅を平均して、レーザ出力の帯域幅を算出する段階、
を含むことを特徴とする方法。
【請求項２】
前記帯域幅が、前記検出要素のアレイによってアンダーサンプリングされる、
ことを更に含むことを特徴とする請求項１に記載の方法。
【請求項３】
前記帯域幅が、前記検出要素のアレイによって空間領域でアンダーサンプリングされる、
ことを更に含むことを特徴とする請求項１に記載の方法。
【請求項４】
前記帯域幅は、前記検出要素のアレイによって時間領域でアンダーサンプリングされる、
ことを更に含むことを特徴とする請求項２に記載の方法。
【請求項５】
前記分光器が、エタロン及びフリンジ幅を有するフリンジパターンを生成する光学器械を含む、
ことを更に含むことを特徴とする請求項１に記載の方法。
【請求項６】
前記光検出要素は、光検出器の線形アレイを含む、
ことを更に含むことを特徴とする請求項５に記載の方法。
【請求項７】
レーザ出力光の帯域幅を算出する装置であって、
レーザ出力光の少なくとも一部分から、複数のスペクトル画像を有する分散された出力を生成する光学要素と、
前記分散された出力を受け取る光検出要素のアレイと、
前記アレイの少なくとも１つと前記分散された出力とを相互に動かすシフト機構と、
前記スペクトル画像と光検出要素との間の異なるレジストレーション相における少なくとも２つのスペクトル画像の帯域幅を決定し、前記帯域幅を平均して、レーザ出力の帯域幅を算出する電子器械と、
を含むことを特徴とする装置。
【請求項８】
前記光学要素が、エタロン及び画像形成光学器械を含む、
ことを更に含むことを特徴とする請求項７に記載の装置。
【請求項９】
前記シフト機構が、可傾式ミラーを含む、
ことを更に含むことを特徴とする請求項７に記載の装置。
【請求項１０】
前記帯域幅の各々は、各スペクトル画像の選択されたエネルギー百分率を含む波長間隔の測定値である、
ことを更に含むことを特徴とする請求項７に記載の装置。
【請求項１１】
各スペクトル画像は最大強度を有し、前記帯域幅の各々は、前記最大強度の選択された強度百分率における各スペクトル画像の全幅の測定値である、
ことを更に含むことを特徴とする請求項７に記載の装置。
【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
プレセニリン活性をモジュレートする物質を同定する方法であって：
ａ）Ｎ末端細胞外ドメインを含むプレセニリン又はその断片と、所与の物質とを接触させるステップ；及び
ｂ）この物質がＡβペプチドの産生をモジュレートするかどうかを判定することにより、プレセニリン活性をモジュレートする物質を同定するステップ、
を含む、前記方法。
【請求項２】
モジュレーションは、Ｇタンパク質へのプレセニリンの結合の阻害による、請求項１記載の方法。
【請求項３】
プレセニリンはプレセニリン−１（ＰＳ−１）またはプレセニリン−２（ＰＳ−２）である、請求項１記載の方法。
【請求項４】
ＰＳ−１はアミノ酸残基１〜約４３０を含む、請求項３記載の方法。
【請求項５】
Ｇタンパク質は、Ｇ０、Ｇｓ、Ｇｉ、Ｇｚ、及びＧｑよりなる群から選択される、請求項２記載の方法。
【請求項６】
Ｇタンパク質はＧαサブユニットを含むＧｏである、請求項５記載の方法。
【請求項７】
ＧαサブユニットはＧｏＡである、請求項６記載の方法。
【請求項８】
ＧαサブユニットはＧｏＢである、請求項６記載の方法。
【請求項９】
前記物質は、天然もしくは合成のポリペプチドもしくはオリゴペプチド、ペプチド模倣物、小有機分子、多糖、脂質、脂肪酸、ポリヌクレオチド、ＲＮＡｉもしくはｓｉＲＮＡ、ａｓＲＮＡ、及びオリゴヌクレオチドよりなる群から選択される、請求項１記載の方法。
【請求項１０】
接触はｉｎ  ｖｉｔｒｏである、請求項１記載の方法。
【請求項１１】
接触はｉｎ  ｖｉｖｏである、請求項１記載の方法。
【請求項１２】
プレセニリンと前記物質とを接触させる前、同時、又は後に、プレセニリンとβ−ＡＰＰとを接触させることをさらに含む、請求項１記載の方法。
【請求項１３】
前記物質がプレセニリン介在Ｓｒｃタンパク質キナーゼ活性をモジュレートする、請求項１記載の方法。
【請求項１４】
プレセニリンはプレセニリン−１（ＰＳ−１）またはプレセニリン−２（ＰＳ−２）である、請求項１３記載の方法。
【請求項１５】
β−ＡＰＰとプレセニリン−１（ＰＳ−１）及び／又はプレセニリン−２（ＰＳ−２）との細胞間結合を干渉することによりＡβの産生を阻害する方法であって：
β−ＡＰＰのＮ末端細胞外ドメインと、ＰＳ−１及びＰＳ−２、又はＰＳ−１もしくはＰＳ−２のＮ末端領域との結合を阻害することを含み、干渉物質は、ペプチド、小分子、ペプチド模倣物、又は抗体である、上記方法。
【請求項１６】
ペプチドはＰＳ−１又は−２の可溶性Ｎ末端ドメインである、請求項１５記載の方法。
【請求項１７】
ＰＳ−１及び／又はＰＳ−２を発現する細胞と、ＰＳ−１及び／又はＰＳ−２とＧｏＡ及びＧｏＢとの相互作用を阻害する物質とを接触させることにより、Ａβの産生を阻害する方法。
【請求項１８】
前記物質は、ＧｏＡ及び／又はＧｏＢと、ＰＳ−１及び／又は２のＣ末端テイル及び／又は他の細胞質ドメインと相互作用する、請求項１７記載の方法。
【請求項１９】
アルツハイマー病の進行の阻害物質についてｉｎ  ｖｉｔｒｏにてアッセイする方法であって、β−ＡＰＰを発現する第１の細胞とＰＳ−１及び／又はＰＳ−２を発現する第２の細胞とを含む細胞系と、所与の物質とを接触させること、及び（ａ）チロシンキナーゼのＳｒｃファミリー；（ｂ）ＰＳ−１及び/又はＰＳ−２とＧｏＡ及び/又はＧｏＢとの相互作用；（ｃ）β−ＡＰＰのＮ末端ドメインとＰＳ−１及び／又はＰＳ−２のＮ末端ドメインとの相互作用；ならびに／あるいは（ｄ）Ａβペプチドの産生、の活性を測定することを含む、上記方法。